(57)【要約】【課題】本発明は構築する護岸壁等の条件に柔軟に対応して主に壁前方部位の隙間を任意の空き幅に形成できる土木構造体用支持ブロックを提供するにある。【解決手段】コンクリート製の楕円支柱体からなる支持ブロック本体２と、この支持ブロック本体２の上部に凸設された上部嵌合部３と、支持ブロック本体２の下部に凸設された下部嵌合部４とで支持ブロック１を構成している。【選択図】　図１
2004143879.tif 000002
【特許請求の範囲】
【請求項１】
護岸壁や擁壁などの土木構造体を構築するための多数の床側嵌合部を配列してなる床ブロック、この床ブロックと同構成の下側に配置した下側配置床ブロックの床側嵌合部に支持ブロック本体の下部に設けられた下部嵌合部を嵌合させて該床ブロック上に立設され、且つ、前記支持ブロック本体の上部に設けられた上部嵌合部を前記床ブロックと同構成の前記下側配置床ブロックの上方側に配置した上側配置床ブロックの床側嵌合部に嵌合して、前記下側配置床ブロックの上方に上側配置床ブロックを支持するための支持ブロックであって、前記床ブロックに配列された状態において第１の支持ブロックおよびその隣の第２の支持ブロックの向きあるいはいずれか一方の向きにより該第１の支持ブロックおよび該第２の支持ブロックの間の隙間の空き幅が調節できるような形態の支持ブロック本体と、この支持ブロック本体の上部に設けられた上部嵌合部と、前記支持ブロック本体の下部に設けられた下部嵌合部とからなることを特徴とする土木構造体用支持ブロック。
【請求項２】
支持ブロック本体の形態が向きによって隙間が無くなる形態であることを特徴とする請求項１記載の土木構造体用支持ブロック。
【発明の詳細な説明】
【０００１】
【発明の属する技術分野】
本発明は護岸壁や擁壁などの土木構造体を形成するための支柱ブロックおよび該支柱ブロックにより形成された土木構造体に関する。
【０００２】
【従来技術】
従来特開２０００−３３６１２（コンクリートブロックならびにコンクリートブロックを用いた土木構造体）に、多数の床側嵌合部を設けた平板ブロックかなる基板、前記床側嵌合部に嵌合する嵌合凸部を両端に有する略円柱形態の連結用支柱とからなるコンクリートブロックと、前記基板と連結用支柱により多段に組み上げられてなる土木構造体が開示されている。
【０００３】
【特許文献１】特開２０００−３３６１２
【０００４】
【発明が解決しようとする課題】
前述した従来技術は、基板に付設した円柱形態の連結用支柱同士の間に隙間が形成される構成であるので、雨水で土木構造体内の土砂が外に流出してしまう、河川護岸壁や湖護岸壁などの水に埋没したりする部位においてはその隙間から土砂が流れ出してしまうなど、通水性を得ながら土砂の流出を起こさせない土木構造体とすることが難しいという欠陥があった。
また、土砂の流出を防ぐために前方に石コロ層を形成する場合、連結用支柱同士の隙間が大きいために隙間より大きい石積層を設け更に土砂が流れ出さない程度の小石積層を形成しなければならないとう欠点があった。
【０００５】
本発明は以上のような従来の欠点に鑑み、構築する護岸壁等の条件に柔軟に対応して主に壁前方部位の隙間を任意の空き幅に形成できる土木構造体用支持ブロックを提供することを目的としている。
【０００６】
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲を限定するものではない。
【０００７】
【課題を解決するための手段】
上記目的を達成するために、本発明は護岸壁や擁壁などの土木構造体を構築するための多数の床側嵌合部を配列してなる床ブロック、この床ブロックと同構成の下側に配置した下側配置床ブロックの床側嵌合部に支持ブロック本体の下部に設けられた下部嵌合部を嵌合させて該床ブロック上に立設され、且つ、前記支持ブロック本体の上部に設けられた上部嵌合部を前記床ブロックと同構成の前記下側配置床ブロックの上方側に配置した上側配置床ブロックの床側嵌合部に嵌合して、前記下側配置床ブロックの上方に上側配置床ブロックを支持するための支持ブロックであって、前記床ブロックに配列された状態において第１の支持ブロックおよびその隣の第２の支持ブロックの向きあるいはいずれか一方の向きにより該第１の支持ブロックおよび該第２の支持ブロックの間の隙間の空き幅が調節できるような形態の支持ブロック本体と、この支持ブロック本体の上部に設けられた上部嵌合部と、前記支持ブロック本体の下部に設けられた下部嵌合部とで土木構造体用支持ブロックを構成している。
【０００８】
【発明の実施の形態】
以下、図面に示す実施の形態により、本発明を詳細に説明する。
【０００９】
図１ないし図４に示す本発明の第１の実施の形態において１は土木構造体用支持ブロック（以下「支持ブロック」という。）であって、この支持ブロック１はコンクリート製の楕円支柱体からなる支持ブロック本体２と、この支持ブロック本体２の上部に凸設された上部嵌合部３と、支持ブロック本体２の下部に凸設された下部嵌合部４とからなっている。
図２および図３において支持ブロック１を用いた土木構造体の一例は次のような構成となる。
土木構造体５は支持ブロック１と、コンクリート製の床ブロック本体６、この床ブロック本体６に３６ヶ配列された支持ブロック１の上部嵌合部３あるいは下部嵌合部４が嵌合する嵌合孔形態の床側嵌合部７とからなる床ブロック８と、床ブロック８を横敷きして形成した床ブロック群１１ａ〜１１ｇと、この床ブロック群１１ａ〜１１ｇの各間の前方部位に間隔をおかずに横並びに支持ブロック１を任意の隙間を空けるような向きで配列して形成した前部位支持ブロック群１２と、該１２の奥側に床側嵌合部７を一列あけて支持ブロック１を任意の隙間を空けるようにして配列して形成した奥部位支持ブロック群１３と、前部位支持ブロック群１２と奥部位支持ブロック群１３ととの間に詰められた小石層１４と、奥部位支持ブロック群１３の後部側に詰められた客土の一部をなす詰土砂１５とからなっている。
土木構造体５の地中に埋設されている最下部はコンクリート基礎１６が打設されている。
支持ブロックと床ブロックの嵌合関係は孔、溝、凸構造の組合せが一般的であるが、どちらが凸でどちらが凹でもよい。
支持ブロックは中空構造とするのもよい。
【００１０】
図４において前部位支持ブロック群１２の支持ブロック１の向きを隙間が無くなる向きにして詰土砂５を該１２で止める構成にしている。
【００１１】
【発明の異なる実施の形態】
次に、図５ないし図１１に示す本発明の異なる実施の形態につき説明する。
なお、これら発明の異なる実施の形態の説明に当たって、前記本発明の第１の実施の形態と同一構成部分には同一符号を付して重複する説明を省略する。
【００１２】
図５に示す本発明の第２の実施の形態において前記本発明の第１の実施の形態と主に異なる点は、支持ブロックの形態を支持ブロック本体の楕円形態を長手方向に少し幅広とした支持ブロック２０とした点にある。
支持ブロック２０は該２０同士では向きにより重なって隙間を無くすことができる、支持ブロック本体を円柱形態とした支持ブロック２１と交互に配列すると、横向き配列においては、隙間が無いといってよいわずかな隙間が支持ブロック間にあるだけとなる。前向き配列においては支持ブロック２１のみの配列よりも大きな隙間が形成される。
【００１３】
図６に示す本発明の第３の実施の形態において前記本発明の第１の実施の形態と主に異なる点は、支持ブロックの形態を床側嵌合部７を３列に跨る幅の楕円形態の支持ブロック本体２５である支持ブロック２６とした点にある。
【００１４】
図７および図８に示す本発明の第４の実施の形態において前記本発明の第１の実施の形態と主に異なる点は、支持ブロックの形態を床側嵌合部７を３列に跨り且つ４、５列の床側嵌合部７の縁に当たる幅の楕円形態の支持ブロック本体２８である支持ブロック２９とした点にある。
【００１５】
図８において支持ブロック２９を該２９の間に床側嵌合部７を一つ空けるようにして配列し、空けた床嵌合部７に側部に凹形成された隙間形成部３０を有する支持ブロック３１を配列している。
隙間形成部３０を形成する支持ブロック本体３２の形態は向きにより隙間の空き幅を変えることができる楕円や略長方形態となっている。これにより、支持ブロック２９が支持ブロック３１の円形のフランジ部位に当たった支持し合う安定した状態を絶えず維持した状態で、閉じ状態から任意の空き幅の隙間を形成する構成を実現できる。
【００１６】
図９に示す本発明の第５の実施の形態において前記本発明の第１の実施の形態と主に異なる点は、支持ブロックの形態を正四角形体の支持ブロック本体３４からなる支持ブロック３５とした点にある。
【００１７】
図１０に示す本発明の第６の実施の形態において前記本発明の第１の実施の形態と主に異なる点は、支持ブロックの形態を突出部位３７を有する支持ブロック本体３８からなる支持ブロック３９とした点にある。
この構成は、詰土砂の土圧が突出部位３７側に梃子の原理から大きく作用するので、土圧のばらついた作用による隙間の形成が起きないものである。
【００１８】
図１１に示す本発明の第７の実施の形態において前記本発明の第１の実施の形態と主に異なる点は、支持ブロックの形態を八角凸形態の上部嵌合部４１と下部嵌合部４２を設けた支持ブロック４３とした点にある。
床ブロックの床側嵌合部も八角形とする。
嵌合部が他の多角体、歯車形態など多様な形態がある。
【００１９】
【発明の効果】
以上の説明から明らかなように、本発明にあっては次に列挙する効果が得られる。
【００２０】
支持ブロック間の隙間の空き幅を任意の幅にできるので、擁壁の条件および擁壁の各部位の条件に柔軟に対応した隙間を形成して、通水性が有り且つ土砂の流出が起こらない擁壁を容易に構築できるという効果を得ることができる。
【図面の簡単な説明】
【図１】本発明の第１の実施の形態の支持ブロックの斜視図。
【図２】本発明の第６の実施の形態の擁壁の構成。
【図３】本発明の第１の実施の形態の支持ブロック配列平面図。
【図４】本発明の第１の実施の形態の他の支持ブロック配列平面図。
【図５】本発明の第２の実施の形態の支持ブロック配列平面図。
【図６】本発明の第３の実施の形態の支持ブロック配列平面図。
【図７】本発明の第４の実施の形態の支持ブロック配列平面図。
【図８】本発明の第４の実施の形態の他の支持ブロック配列平面図。
【図９】本発明の第５の実施の形態の支持ブロック配列平面図。
【図１０】本発明の第６の実施の形態の支持ブロック配列平面図。
【図１１】本発明の第７の実施の形態の支持ブロックの斜視図。
【符号の説明】
１：支持ブロック、　　　　　　　２：支持ブロック本体、
３：上部嵌合部、　　　　　　　　４：下部嵌合部、
５：土木構造体、　　　　　　　　６：床ブロック本体、
７：床側嵌合部、　　　　　　　　８：床ブロック、
１１ａ〜１１ｇ：床ブロック群、
１２：前部位支持ブロック群、　１３：奥部位支持ブロック群、
１４：小石層、　　　　　　　　１５：詰土砂、
１６：コンクリート基礎、　　　２０：支持ブロック、
２１：支持ブロック、　　　　　２５：支持ブロック本体、
２６：支持ブロック、　　　　　２８：支持ブロック本体、
２９：支持ブロック、　　　　　３０：隙間形成部、
３１：支持ブロック、　　　　　３２：支持ブロック本体、
３４：支持ブロック本体、　　　３５：ブロック本体、
３７：突出部位、　　　　　　　３８：支持ブロック本体、
３９：支持ブロック、　　　　　４１：上部嵌合部、
４２：下部嵌合部、　　　　　　４３：支持ブロック。
【図１】
2004143879.tif 000003
【図２】
2004143879.tif 000004
【図３】
2004143879.tif 000005
【図４】
2004143879.tif 000006
【図５】
2004143879.tif 000007
【図６】
2004143879.tif 000008
【図７】
2004143879.tif 000009
【図８】
2004143879.tif 000010
【図９】
2004143879.tif 000011
【図１０】
2004143879.tif 000012
【図１１】
2004143879.tif 000013